(57)【要約】【課題】小型化を実現しつつヘッドスライダの姿勢変化を回避することができるヘッドサスペンションおよびヘッドジンバルアセンブリを提供する。【解決手段】支持板４７上の導電パッド５３ははんだ５４に基づきヘッドスライダ２３に接続される。連結片４８は横断線５６に沿って延びる。はんだ５４の収縮に基づき発生する応力は横断線５６より前方で支持板４７を反り返らせる。配線パターン５２は湾曲部５２ｃで変形する。湾曲部５２ｃの働きで応力は吸収される。横断線５６より後方で支持板４７の反り返りは回避される。ヘッドスライダ２３の姿勢変化は回避される。しかも、導電パッド５３は支持板４７上に固定される。フレキシャ本体４６や支持板４７では開口や長尺材は必要とされない。配線パターン５２の外側にはフレキシャ４５の外枠は必要とされない。フレキシャ４５は小型化される。フレキシャ４５はヘッドサスペンション２２の小型化に寄与する。【選択図】図５
2008041215.tif 000002
【特許請求の範囲】
【請求項１】
前後方向に広がって、ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる配線パターンとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とするヘッドサスペンション。
【請求項２】
ヘッドスライダと、前記ヘッドスライダに搭載される導電端子と、前後方向に広がって、前記ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる配線パターンと、前記導電パッドに受け止められて前記導電端子に接続されるはんだとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とするヘッドジンバルアセンブリ。
【請求項３】
記録媒体と、前記記録媒体に向き合わせられるヘッドスライダと、前記ヘッドスライダに搭載される導電端子と、前後方向に広がって、前記ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる前記配線パターンと、導電パッドに受け止められて前記導電端子に接続されるはんだとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とする記憶装置。
【発明の詳細な説明】
【技術分野】
【０００１】
本発明は、例えばハードディスク駆動装置（ＨＤＤ）といった記憶装置に組み込まれるヘッドジンバルアセンブリに関する。
【背景技術】
【０００２】
例えば特許文献２の図６に開示されるように、ヘッドジンバルアセンブリは広く知られる。このヘッドジンバルアセンブリではフレキシャはヘッドスライダを支持する。フレキシャの前端には開口が形成される。開口は細長い長尺材で分断される。長尺材上には開口上で延びる支持部材が取り付けられる。支持部材上には配線パターンの導電パッドが配置される。導電パッドはヘッドスライダに接続される。配線パターンは開口内で屈曲する。
【０００３】
導電パッドおよびヘッドスライダの接合にあたってはんだが用いられる。接合時にはんだは収縮する。支持部材は開口上で延びることから、支持部材からフレキシャに応力の作用はできる限り回避される。しかも、配線パターンは開口内で屈曲することから、応力の作用に基づき配線パターンは変形する。フレキシャの変形は回避される。こうしてヘッドスライダの姿勢変化は回避される。
【特許文献１】特開２００１−４３６４７号公報
【特許文献２】米国特許第６９６５４９９号明細書
【特許文献３】特表平１１−５１４７８０号公報
【発明の開示】
【発明が解決しようとする課題】
【０００４】
応力の作用の回避にあたって、支持部材は開口上で延びなければならない。すなわち、支持部材は長尺材上に配置されなければならない。開口や長尺材の区画にあたってフレキシャは配線パターンの外側で外枠を区画する。外枠はフレキシャを大型化させてしまう。フレキシャの大型化に伴って例えば気流の働きでフレキシャは振動してしまう。振動に基づきヘッドスライダは正確に書き込みおよび読み出しを実施することができない。
【０００５】
本発明は、上記実状に鑑みてなされたもので、小型化を実現しつつヘッドスライダの姿勢変化を回避することができるヘッドサスペンションおよびヘッドジンバルアセンブリを提供することを目的とする。
【課題を解決するための手段】
【０００６】
上記目的を達成するために、第１発明によれば、前後方向に広がって、ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる配線パターンとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とするヘッドサスペンションが提供される。
【０００７】
こうしたヘッドサスペンションにヘッドスライダが取り付けられる際、ヘッドスライダは支持板に受け止められる。支持板上には横断線よりも前方で導電パッドが固定される。導電パッドおよびヘッドスライダは例えばはんだに基づき接続される。連結片は横断線に沿って延びる。導電パッドは横断線よりも前方で支持板に固定されることから、はんだの収縮に基づき発生する応力は横断線より前方で支持板を反り返らせる。配線パターンは湾曲部で変形する。湾曲部の働きで応力は吸収される。したがって、横断線より後方で支持板の反り返りは回避される。ヘッドスライダの姿勢変化は回避される。ヘッドスライダの姿勢は設計通りに設定されることができる。
【０００８】
しかも、導電パッドは支持板上に固定されることから、フレキシャ本体や支持板では開口や長尺材は必要とされない。その結果、配線パターンの湾曲部や第１および第２直線部の外側にはフレキシャの外枠は必要とされない。フレキシャの輪郭は小型化されることができる。こうしたフレキシャはヘッドサスペンションや後述のヘッドジンバルアセンブリの小型化に寄与する。例えば気流がフレキシャに作用しても、フレキシャの振動は低減されることができる。ヘッドスライダは正確に書き込みおよび読み出しを実施することができる。
【０００９】
以上のようなヘッドサスペンションでは、湾曲部は、第１直線および第２直線の交差角の二等分線上に中心を規定する円弧に沿って延び、円弧の中心角は１８０度に設定されればよい。その一方で、湾曲部は、第１直線に対する垂線上に中心を規定する円弧に沿って延び、円弧の中心角は１８０度に設定されればよい。
【００１０】
第２発明によれば、ヘッドスライダと、前記ヘッドスライダに搭載される導電端子と、前後方向に広がって、前記ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる配線パターンと、前記導電パッドに受け止められて前記導電端子に接続されるはんだとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とするヘッドジンバルアセンブリが提供される。
【００１１】
こうしたヘッドジンバルサスペンションの製造にあたって、ヘッドスライダは支持板に取り付けられる。支持板上には横断線よりも前方で導電パッドが固定される。導電パッドおよびヘッドスライダの導電端子ははんだに基づき接続される。連結片は横断線に沿って延びる。導電パッドは横断線よりも前方で支持板に固定されることから、はんだの収縮に基づき発生する応力は横断線より前方で支持板を反り返らせる。配線パターンは湾曲部で変形する。湾曲部の働きで応力は吸収される。したがって、横断線より後方で支持板の反り返りは回避される。ヘッドスライダの姿勢変化は回避される。ヘッドスライダの姿勢は設計通りに設定されることができる。
【００１２】
しかも、導電パッドは支持板上に固定されることから、フレキシャ本体や支持板では開口や長尺材は必要とされない。その結果、配線パターンの湾曲部や第１および第２直線部の外側にはフレキシャの外枠は必要とされない。フレキシャの輪郭は小型化されることができる。こうしたフレキシャは前述のヘッドサスペンションやヘッドジンバルアセンブリの小型化に寄与する。例えば気流がフレキシャに作用しても、フレキシャの振動は低減されることができる。ヘッドスライダは正確に書き込みおよび読み出しを実施することができる。
【００１３】
第３発明によれば、記録媒体と、前記記録媒体に向き合わせられるヘッドスライダと、前記ヘッドスライダに搭載される導電端子と、前後方向に広がって、前記ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる前記配線パターンと、導電パッドに受け止められて前記導電端子に接続されるはんだとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とする記憶装置が提供される。こうして前述のヘッドサスペンションやヘッドジンバルアセンブリは例えばハードディスク駆動装置といった記憶装置に組み込まれてもよい。
【発明の効果】
【００１４】
以上のように本発明によれば、小型化を実現しつつヘッドスライダの姿勢変化を回避することができるヘッドサスペンションおよびヘッドジンバルアセンブリが提供されることができる。
【発明を実施するための最良の形態】
【００１５】
以下、添付図面を参照しつつ本発明の一実施形態を説明する。
【００１６】
図１は本発明に係る記憶装置の一具体例すなわちハードディスク駆動装置（ＨＤＤ）１１の内部構造を概略的に示す。このＨＤＤ１１は、例えば平たい直方体の内部空間を区画する箱形の筐体本体１２を備える。筐体本体１２は例えばアルミニウムといった金属材料から鋳造に基づき成形されればよい。筐体本体１２には蓋体すなわちカバー（図示されず）が結合される。カバーと筐体本体１２との間で収容空間は密閉される。カバーは例えばプレス加工に基づき１枚の板材から成形されればよい。
【００１７】
収容空間には、記録ディスクとしての１枚以上の磁気ディスク１３が収容される。磁気ディスク１３はスピンドルモータ１４の回転軸に装着される。スピンドルモータ１４は例えば５４００ｒｐｍや７２００ｒｐｍ、１００００ｒｐｍ、１５０００ｒｐｍといった高速度で磁気ディスク１３を回転させることができる。
【００１８】
収容空間にはキャリッジ１５がさらに収容される。キャリッジ１５はキャリッジブロック１７を備える。キャリッジブロック１７は、垂直方向に延びる支軸１８に回転自在に連結される。キャリッジブロック１７には、支軸１８から水平方向に延びる複数のキャリッジアーム１９が区画される。キャリッジブロック１７は例えば押し出し成形に基づきアルミニウムから成型されればよい。
【００１９】
個々のキャリッジアーム１９の先端には、キャリッジアーム１９から前方に延びるヘッドジンバルアセンブリ２１が取り付けられる。ヘッドジンバルアセンブリ２１は、キャリッジアーム１９の前端から前方に延びるヘッドサスペンション２２を備える。ヘッドサスペンション２２の前端には磁気ディスク１３の表面に向かって所定の押し付け力が作用する。ヘッドサスペンション２２の前端には浮上ヘッドスライダ２３が固定される。
【００２０】
浮上ヘッドスライダ２３にはいわゆる磁気ヘッドすなわち電磁変換素子（図示されず）が搭載される。この電磁変換素子は、例えば、薄膜コイルパターンで生成される磁界を利用して磁気ディスク１３に情報を書き込む薄膜磁気ヘッドといった書き込み素子と、スピンバルブ膜やトンネル接合膜の抵抗変化を利用して磁気ディスク１３から情報を読み出す巨大磁気抵抗効果（ＧＭＲ）素子やトンネル接合磁気抵抗効果（ＴＭＲ）素子といった読み出し素子とで構成されればよい。
【００２１】
磁気ディスク１３の回転に基づき磁気ディスク１３の表面で気流が生成されると、気流の働きで浮上ヘッドスライダ２３には正圧すなわち浮力および負圧が作用する。浮力および負圧とヘッドサスペンション２２の押し付け力とが釣り合うことで磁気ディスク１３の回転中に比較的に高い剛性で浮上ヘッドスライダ２３は浮上し続けることができる。
【００２２】
キャリッジブロック１７にはボイスコイルモータ（ＶＣＭ）２４が連結される。ＶＣＭ２４の働きでキャリッジブロック１７は支軸１８回りで回転することができる。こうしたキャリッジブロック１７の回転に基づきキャリッジアーム１９およびヘッドジンバルアセンブリ２１の揺動は実現される。浮上ヘッドスライダ２３の浮上中に支軸１８回りでキャリッジアーム１９が揺動すると、浮上ヘッドスライダ２３は半径方向に磁気ディスク１３の表面を横切ることができる。こうした浮上ヘッドスライダ２３の移動に基づき電磁変換素子は目標記録トラックに対して位置決めされることができる。
【００２３】
ヘッドサスペンション２２の先端には、ヘッドサスペンション２２の先端から前方に延びるロード部材すなわちロードタブ２５が固定される。ロードタブ２５はキャリッジ１５の揺動に基づき磁気ディスク１３の半径方向に移動することができる。ロードタブ２５の移動経路上には磁気ディスク１３の外側でランプ部材２６が配置される。ロードタブ２５はランプ部材２６の表面に受け止められる。
【００２４】
ランプ部材２６は、磁気ディスク１３の外側で筐体本体１２の底板に例えばねじ留めされる取り付け台２７を備える。取り付け台２７には、キャリッジ１５の支軸１８に向かって水平面に沿って突き出る突片２８が形成される。突片２８の先端は最外周記録トラックの外側で非データゾーンに向き合わせられる。ランプ部材２６およびロードタブ２５は協働でいわゆるロードアンロード機構を構成する。ランプ部材２６は例えば硬質プラスチック材料から成型されればよい。
【００２５】
キャリッジ１５の基部端すなわちキャリッジブロック１７上にはフレキシブルプリント基板（ＦＰＣ）ユニット３１が配置される。ＦＰＣユニット３１は第１フレキシブルプリント基板（ＦＰＣ）３２を備える。第１ＦＰＣ３２は例えば接着剤に基づき例えばステンレス鋼板といった金属板３３の表面に貼り付けられればよい。金属板３３は例えばねじに基づきキャリッジブロック１７に固定されればよい。
【００２６】
第１ＦＰＣ３２にはヘッドＩＣ（集積回路）すなわちプリアンプＩＣ３４が実装される。磁気情報の読み出し時には、このプリアンプＩＣ３４から読み出し素子に向けてセンス電流は供給される。磁気情報の書き込み時には、プリアンプＩＣ３４から書き込み素子に向けて書き込み電流は供給される。プリアンプＩＣ３４には、筐体本体１２の収容空間内に配置される小型の回路基板３５からセンス電流や書き込み電流は供給される。こうしたセンス電流や書き込み電流の供給にあたって第２フレキシブルプリント基板（ＦＰＣ）３６が用いられる。第２ＦＰＣ３６は個々のヘッドサスペンション２２ごとに配置される。
【００２７】
図２に示されるように、ヘッドジンバルアセンブリ２１は、キャリッジアーム１９の先端に取り付けられるベースプレート４１と、ベースプレート４１から前方に所定の間隔で隔てられるロードビーム４２とを備える。ベースプレート４１は例えばかしめに基づきキャリッジアーム１９に固定される。ロードビーム４２の先端には前述のロードタブ２５が区画される。ロードビーム４２は例えばステンレス鋼といった金属材料から構成されればよい。
【００２８】
ベースプレート４１およびロードビーム４２の表面にはヒンジプレート４３が固定される。ヒンジプレート４３はベースプレート４１の前端およびロードビーム４２の後端の間で弾性変形部４４を区画する。こうしてヒンジプレート４３はベースプレート４１およびロードビーム４２を連結する。ヒンジプレート４３は例えばステンレス鋼といった金属材料から構成されればよい。
【００２９】
ロードビーム４２の表面にはフレキシャ４５が固定される。フレキシャ４５の表面には前述の第２ＦＰＣ３６が貼り付けられる。第２ＦＰＣ３６はロードビーム４２の前端からベースプレート４１に向かって後方に延びる。フレキシャ４５は例えばステンレス鋼から構成されればよい。フレキシャ４５の表面には浮上ヘッドスライダ２３が固定される。ここでは、ベースプレート４１、ロードビーム４２およびフレキシャ４５はヘッドサスペンションを構成する。
【００３０】
図３に示されるように、フレキシャ４５は、ロードビーム４２の表面に受け止められるフレキシャ本体４６と、表面で浮上ヘッドスライダ２３を受け止める支持板４７とを区画する。支持板４７はフレキシャ本体４６の前方で前後方向に広がる。浮上ヘッドスライダ２３は支持板４７の表面に接着されればよい。フレキシャ本体４６および支持板４７は連結片４８で接続される。フレキシャ本体４６、支持板４７および連結片４８は１枚の板ばね材から形成されればよい。
【００３１】
図４を併せて参照し、第２ＦＰＣ３６は、絶縁層５１と、絶縁層５１の表面に形成される配線パターン５２とを備える。絶縁層５１は例えばポリイミド樹脂といった樹脂材料から構成されればよい。配線パターン５２は例えば銅といった金属材料から構成されればよい。配線パターン５２の先端には導電パッド５３が区画される。導電パッド５３は、はんだ５４に基づき浮上ヘッドスライダ２３に搭載される導電端子５５に接続される。ここでは、４本の配線パターン５２が個別に４つの導電端子５５に接続される。導電パッド５３およびはんだ５４は支持板４７の表面に配置される。
【００３２】
図５に示されるように、連結片４８は、前後方向を横切る横断線５６に沿って相互に反対向きに支持板４７から突き出る。フレキシャ本体４６は、連結片４８の外端に接続されて支持板４７から後方に向かって延びる。導電パッド５３およびはんだ５４は横断線５６よりも前方で支持板４７上に配置される。ここでは、横断線５６は浮上ヘッドスライダ２３の前端に平行に連結片４８の前縁に沿って延びる。横断線５６は浮上ヘッドスライダ２３の前端に近接して延びればよい。
【００３３】
各配線パターン５２は、先端の導電パッド５３からフレキシャ本体４６に向かって延びる。配線パターン５２は、フレキシャ本体４６から前方に向かって第１直線５７に沿って延びる第１直線部５２ａと、第１直線５７に交差し支持板４７に至る第２直線５８に沿って延びる第２直線部５２ｂと、第１直線部５２ａおよび第２直線部５２ｂを相互に接続する湾曲部５２ｃとを区画する。ここでは、第１直線５７は第２直線５８に直交すればよい。
【００３４】
第１直線５７は外側の配線パターン５２の外縁に規定される。同様に、第２直線５８は外側の配線パターン５２の外縁に規定される。第１直線５７は横断線５６に交差する。ここでは、第１直線５７は横断線５６に直交すればよい。第２直線５８は横断線５６に平行に延びればよい。湾曲部５２ｃは第１直線５７および第２直線５８の少なくともいずれかより外側に膨らめばよい。ここでは、湾曲部５２ｃは第１直線５７および第２直線５８の両方から外側に膨らむ。湾曲部５２ｃはフレキシャ本体４６および支持板４７の輪郭より外側に配置される。
【００３５】
湾曲部５２ｃは所定の円弧５９に沿って延びる。円弧５９は、第１直線５７および第２直線５８の交差角の二等分線６１上に中心Ｃを規定する。ここでは、円弧５９の中心角は１８０度に設定されればよい。円弧５９の中心角は例えば１００度以上に設定されればよい。後述の応力の吸収といった効果の実現にあたって、円弧５９の中心角はできる限り大きく設定されることが望ましい。ただし、中心角の増大は配線パターン５２の長さを増大させる。配線パターン５２の長さの増大は例えば気流の影響に基づき配線パターン５２の振動を引き起こす。したがって、中心角の設定にあたって配線パターン５２の振動が考慮されればよい。
【００３６】
浮上ヘッドスライダ２３すなわち支持板４７の裏面は、ベースプレート４１の表面に形成されるドーム状の突起（図示されず）に受け止められる。弾性変形部４４は所定の弾性力すなわち曲げ力を発揮する。この曲げ力の働きでロードビーム４２の前端には磁気ディスク１３の表面に向かう押し付け力が付与される。押し付け力は突起の働きで支持板４７の背後から浮上ヘッドスライダ２３に作用する。浮上ヘッドスライダ２３は、気流の働きで生成される浮力に基づき姿勢を変化させることができる。突起は浮上ヘッドスライダ２３すなわち支持板４７の姿勢変化を許容する。
【００３７】
以上のようなヘッドジンバルアセンブリ２１の製造にあたって、フレキシャ４５の支持板４７の表面には浮上ヘッドスライダ２３が接着される。例えばスポット溶接に基づきフレキシャ４５は接合される。ベースプレート４１、ヒンジプレート４３およびフレキシャ４５の表面には第２ＦＰＣ３６が積層形成される。積層形成にあたってエッチングが用いられればよい。第１直線部５２ａはフレキシャ本体４６上に積層形成される。第２直線部５２ｂは横断線５６より前方で支持板４７上に積層形成される。
【００３８】
導電パッド５３および導電端子５５は、加熱に基づき溶融したはんだで接合される。はんだは冷却される。はんだは収縮する。収縮に基づきフレキシャ４５には応力が発生する。導電パッド５３は横断線５６より前方で支持板４７の表面に配置されることから、応力は横断線５６より前方で支持板４７を反り返らせる。湾曲部５２ｃで配線パターン５２は変形する。応力は配線パターン５２で吸収される。こうして導電パッド５３は導電端子５５に接続される。
【００３９】
以上のようなヘッドジンバルアセンブリ２１では、横断線５６に沿って連結片４８が延びる。導電パッド５３は横断線５６よりも前方で支持板４７に固定される。したがって、導電パッド５３および導電端子５５のはんだ付け時、はんだの収縮に基づき発生する応力は横断線５６より前方で支持板４７を反り返らせる。湾曲部５２ｃの働きで応力は吸収される。したがって、横断線５６より後方で支持板４７の反り返りは回避される。浮上ヘッドスライダ２３のピッチ角の変化は回避される。浮上ヘッドスライダ２３のピッチ角は設計通りに設定されることができる。
【００４０】
しかも、導電パッド５３は支持板４７上に固定されることから、フレキシャ４５では開口や長尺材は必要とされない。その結果、配線パターン５２の湾曲部５２ｃや第１および第２直線部５２ａ、５２ｂの外側にはフレキシャ４５の外枠は必要とされない。フレキシャ４５の輪郭は小型化されることができる。こうしたフレキシャ４５はヘッドジンバルアセンブリ２１やヘッドサスペンション２２の小型化に寄与する。磁気ディスク１３上を移動する際に気流がフレキシャ４５に作用しても、フレキシャ４５の振動は低減される。浮上ヘッドスライダ２３は正確に書き込みおよび読み出しを実施することができる。
【００４１】
加えて、支持板４７の表面には導電パッド５３が簡単に追加されることができる。近年の浮上ヘッドスライダには例えばヒータが組み込まれる。ヒータの発熱に基づき浮上量は制御される。ヒータ用に１対の配線パターン５２および１対の導電パッド５３が追加される。配線パターン５２の数は４本から６本に増加する。こうして配線パターン５２の数が増加しても、ヘッドジンバルアセンブリ２１は導電パッド５３の追加で簡単に対応することができる。
【００４２】
図６に示されるように、前述のヘッドジンバルアセンブリ２１に代えて、キャリッジアーム１９にはヘッドジンバルアセンブリ２１ａが取り付けられてもよい。このヘッドジンバルアセンブリ２１ａでは、配線パターン５２の湾曲部５２ｃに第３直線部５２ｄが形成されてもよい。第３直線部５２ｄは例えば湾曲部５２ｃの中間位置に区画されればよい。その他、前述と均等な構成や構造には同一の参照符号が付される。こうしたヘッドジンバルアセンブリ２１ａによれば、前述と同様な作用効果が実現されることができる。
【００４３】
図７に示されるように、前述のヘッドジンバルアセンブリ２１、２１ａに代えて、キャリッジアーム１９にはヘッドジンバルアセンブリ２１ｂが取り付けられてもよい。このヘッドジンバルアセンブリ２１ｂの第２ＦＰＣ３６では、湾曲部５２ｃで絶縁層５１が除去される。すなわち、フレキシャ本体４６および支持板４７の輪郭より外側には配線パターン５２のみが延びる。その他、前述と均等な構成や構造には同一の参照符号が付される。
【００４４】
こうしたヘッドジンバルアセンブリ２１ｂによれば、フレキシャ本体４６および支持板４７の輪郭より外側で第２ＦＰＣ３６の剛性は低下する。配線パターン５２は一層効率的に応力を吸収することができる。しかも、湾曲部５２ｃは、二等分線６１に沿った斜め方向に第１直線５７および第２直線５８の外側で延びる。湾曲部が第１直線５７や第２直線５８に沿った方向に第１直線５７および第２直線５８の外側で延びる場合に比べて、第１直線５７および第２直線５８の外側に湾曲部５２ｃの膨らみは抑制される。こうした湾曲部５２ｃはヘッドジンバルアセンブリ２１ｂの小型化に貢献することができる。
【００４５】
図８に示されるように、前述のヘッドジンバルアセンブリ２１、２１ａ、２１ｂに代えて、キャリッジアーム１９にはヘッドジンバルアセンブリ２１ｃが取り付けられてもよい。このヘッドジンバルアセンブリ２１ｃでは、湾曲部５２ｃは第１直線５７からのみ外側に膨らめばよい。第２直線５８から外側に膨らみは回避されればよい。前述と同様に、湾曲部５２ｃは所定の円弧６２に沿って延びる。円弧６２は、第１直線５７に対して規定される垂線６３上に中心Ｃを規定する。ここでは、円弧６２の中心角は１８０度に設定されればよい。円弧６２の中心角は例えば１００度以上に設定されればよい。円弧６２の中心角はできる限り大きく設定されることが望ましい。ただし、中心角の設定にあたって配線パターン５２の振動が考慮されればよい。その他、前述と均等な構成や構造には同一の参照符号が付される。
【００４６】
こうしたヘッドジンバルアセンブリ２１ｃによれば、前述と同様な作用効果が実現されることができる。加えて、湾曲部５２ｃは第２直線５８に沿った方向に第１直線５７の外側で延びる。第２直線５８はフレキシャ４５の前端より後方に規定される。フレキシャ４５の前端から前方に配線パターン５２の張り出しは回避される。その結果、ロードタブ２５がランプ部材２６の突片２８上に受け止められる際、配線パターン５２およびランプ部材２６の接触は回避される。配線パターン５２の損傷は回避される。
【００４７】
（付記１）  前後方向に広がって、ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる配線パターンとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とするヘッドサスペンション。
【００４８】
（付記２）  付記１に記載のヘッドサスペンションにおいて、前記湾曲部は、前記第１直線および前記第２直線の交差角の二等分線上に中心を規定する円弧に沿って延び、前記円弧の中心角は１８０度に設定されることを特徴とするヘッドサスペンション。
【００４９】
（付記３）  付記１に記載のヘッドサスペンションにおいて、前記湾曲部は、前記第１直線に対する垂線上に中心を規定する円弧に沿って延び、前記円弧の中心角は１８０度に設定されることを特徴とするヘッドサスペンション。
【００５０】
（付記４）  ヘッドスライダと、前記ヘッドスライダに搭載される導電端子と、前後方向に広がって、前記ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる配線パターンと、前記導電パッドに受け止められて前記導電端子に接続されるはんだとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とするヘッドジンバルアセンブリ。
【００５１】
（付記５）  付記４に記載のヘッドジンバルアセンブリにおいて、前記湾曲部は、前記第１直線および前記第２直線の交差角の二等分線上に中心を規定する円弧に沿って延び、前記円弧の中心角は１８０度に設定されることを特徴とするヘッドジンバルアセンブリ。
【００５２】
（付記６）  付記４に記載のヘッドジンバルアセンブリにおいて、前記湾曲部は、前記第１直線に対する垂線上に中心を規定する円弧に沿って延び、前記円弧の中心角は１８０度に設定されることを特徴とするヘッドジンバルアセンブリ。
【００５３】
（付記７）  記録媒体と、前記記録媒体に向き合わせられるヘッドスライダと、前記ヘッドスライダに搭載される導電端子と、前後方向に広がって、前記ヘッドスライダを受け止める支持板と、前後方向を横切る横断線に沿って相互に反対向きに前記支持板から突き出る連結片と、前記連結片の外端に接続されて、前記支持板から後方に向かって延びロードビームに受け止められるフレキシャ本体と、前記横断線よりも前方で前記支持板上に固定される導電パッドから前記フレキシャ本体に向かって延びる前記配線パターンと、導電パッドに受け止められて前記導電端子に接続されるはんだとを備え、前記配線パターンは、前記フレキシャ本体から前方に向かって第１直線に沿って延びる第１直線部と、前記第１直線に交差し前記支持板に至る第２直線に沿って延びる第２直線部と、前記第１直線部および前記第２直線部を相互に接続し、前記第１直線および前記第２直線の少なくともいずれかより外側に膨らむ湾曲部とを区画することを特徴とする記憶装置。
【００５４】
（付記８）  付記７に記載の記憶装置において、前記湾曲部は、前記第１直線および前記第２直線の交差角の二等分線上に中心を規定する円弧に沿って延び、前記円弧の中心角は１８０度に設定されることを特徴とする記憶装置。
【００５５】
（付記９）  付記７に記載の記憶装置において、前記湾曲部は、前記第１直線に対する垂線上に中心を規定する円弧に沿って延び、前記円弧の中心角は１８０度に設定されることを特徴とする記憶装置。
【図面の簡単な説明】
【００５６】
【図１】本発明に係る記憶装置の一具体例すなわちハードディスク駆動装置の内部構造を概略的に示す平面図である。
【図２】本発明の一具体例に係るヘッドジンバルアセンブリの構造を概略的に示す拡大斜視図である。
【図３】本発明の一具体例に係るヘッドジンバルアセンブリの構造を概略的に示す拡大斜視図である。
【図４】図３の４−４線に沿った部分拡大断面図である。
【図５】本発明の一具体例に係るヘッドジンバルアセンブリの構造を概略的に示す部分拡大平面図である。
【図６】本発明の他の具体例に係るヘッドジンバルアセンブリの構造を概略的に示す部分拡大平面図である。
【図７】本発明のさらに他の具体例に係るヘッドジンバルアセンブリの構造を概略的に示す部分拡大平面図である。
【図８】本発明のさらに他の具体例に係るヘッドジンバルアセンブリの構造を概略的に示す部分拡大平面図である。
【符号の説明】
【００５７】
１１  記憶装置（ハードディスク駆動装置）、１３  記録媒体（磁気ディスク）、２１〜２１ｃ  ヘッドジンバルアセンブリ、２２  ヘッドサスペンション、２３  ヘッドスライダ（浮上ヘッドスライダ）、４２  ロードビーム、４６  フレキシャ本体、４７  支持板、４８  連結片、５２  配線パターン、５２ａ  第１直線部、５２ｂ  第２直線部、５２ｃ  湾曲部、５３  導電パッド、５４  はんだ、５５  導電端子、５６  横断線、５７  第１直線、５８  第２直線。
【図１】
2008041215.tif 000003
【図２】
2008041215.tif 000004
【図３】
2008041215.tif 000005
【図４】
2008041215.tif 000006
【図５】
2008041215.tif 000007
【図６】
2008041215.tif 000008
【図７】
2008041215.tif 000009
【図８】
2008041215.tif 000010